(57)【特許請求の範囲】
【請求項１】
アンテナで受信した信号を増幅する増幅器と、
該増幅器に接続され、前記増幅器が前記信号を増幅することができる周波数の範囲内において、それぞれ異なる所定の周波数の範囲の前記信号を通過させることができる周波数帯域を有する、並列接続された複数のフィルタ部と、
複数の前記フィルタ部のそれぞれに接続され、前記フィルタ部を通過した前記信号を同調させることが可能な複数のチューナ部と
を備え、
前記増幅器が前記信号を増幅することができる周波数の範囲内に含まれる二つの前記所定の周波数の範囲を第１周波数の範囲、第２周波数の範囲とした場合、
複数の前記フィルタ部は、
前記第１周波数の範囲の前記信号を通過させることができる第１周波数帯域を有する第１フィルタ部と、
前記第２周波数の範囲の前記信号を通過させることができる第２周波数帯域を有する第２フィルタ部と
を有し、
前記第１フィルタ部の上限側の遮断周波数と、前記第２フィルタ部の下限側の遮断周波数とが一致、
又は前記第１フィルタ部の上限側の遮断周波数が前記第２フィルタ部の前記第２周波数帯域に、及び前記第２フィルタ部の下限側の遮断周波数が前記第１フィルタ部の前記第１周波数帯域にそれぞれ含まれており、
前記遮断周波数における複数の前記フィルタ部の合成インピーダンスが、前記増幅器の負荷インピーダンス以下になることを特徴とする無線受信装置。
【請求項２】
前記第１周波数の範囲がＶＨＦ帯、前記第２周波数の範囲がＵＨＦ帯をそれぞれ含むことを特徴とする請求項１に記載の無線受信装置。
【請求項３】
前記増幅器が前記信号を増幅することができる周波数の範囲内に含まれる三つの前記所定の周波数の範囲を第１周波数の範囲、第２周波数の範囲、第３周波数の範囲とした場合、
複数の前記フィルタ部は、
前記第１周波数の範囲の前記信号を通過させることができる第１周波数帯域を有する第１フィルタ部と、
前記第２周波数の範囲の前記信号を通過させることができる第２周波数帯域を有する第２フィルタ部と、
前記第３周波数の範囲の前記信号を通過させることができる第３周波数帯域を有する第３フィルタ部と
を備え、
前記第１フィルタ部の上限側の遮断周波数と、前記第２フィルタ部の下限側の遮断周波数とが、及び前記第２フィルタ部の上限側の遮断周波数と、前記第３フィルタ部の下限側の遮断周波数とがそれぞれ一致、
又は前記第１フィルタ部の上限側の遮断周波数が前記第２フィルタ部の前記第２周波数帯域に、前記第２フィルタ部の下限側の遮断周波数が前記第１フィルタ部の前記第１周波数帯域に、前記第２フィルタ部の上限側の遮断周波数が前記第３フィルタ部の前記第３周波数帯域に、及び前記第３フィルタ部の下限側の遮断周波数が前記第２フィルタ部の前記第２周波数帯域にそれぞれ含まれていることを特徴とする請求項１又は２に記載の無線受信装置。
【請求項４】
前記第１周波数の範囲がＶＨＦ帯ローバンド、前記第２周波数の範囲がＶＨＦ帯ハイバンド、前記第３周波数の範囲がＵＨＦ帯をそれぞれ含むことを特徴とする請求項３に記載の無線受信装置。
【発明の詳細な説明】
【技術分野】
【０００１】
本発明は、無線受信装置に関し、特に、複数のフィルタ部の前段に、信号を増幅する増幅器を備える無線受信装置に関する。
【背景技術】
【０００２】
近年、一つのアンテナで、ＶＨＦ帯からＵＨＦ帯までの広い周波数帯域の信号を受信することが可能な無線受信装置が開発されている。特許文献１及び特許文献２には、ＶＨＦ帯からＵＨＦ帯までの広い周波数帯域の信号を受信することが可能な無線受信装置が開示されている。特許文献１及び特許文献２に開示されている無線受信装置では、アンテナで受信した信号を、低い周波数帯域の信号を通すフィルタ部と、高い周波数帯域の信号を通すフィルタ部とを用いてＶＨＦ帯の信号とＵＨＦ帯の信号とに分け、チューナ部でそれぞれの周波数帯域の信号を同調させる。
【先行技術文献】
【特許文献】
【０００３】
【特許文献１】特開平  ４−３０６９２１号公報
【特許文献２】実開昭６０−１８６７３５号公報
【発明の概要】
【発明が解決しようとする課題】
【０００４】
しかし、アンテナで受信した信号が弱い場合、無線受信装置は、フィルタ部の前段に増幅器を設けて、信号を増幅する必要がある。フィルタ部の前段に増幅器を設ける場合、負荷であるフィルタ部と接続される条件によっては、増幅器に帰還回路を設けなくとも、増幅器内部で所定量以上の信号が正帰還するため、増幅器が信号を増幅することができる周波数の範囲内において安定して信号を増幅することができないという問題があった。特に、増幅器に正帰還する信号の量が増えると、不安定性が増加して増幅器が発振する可能性が生じる。なお、特許文献１及び特許文献２では、フィルタ部の前段に増幅器を設けた無線受信装置の構成は開示されていない。
【０００５】
本発明は、斯かる事情に鑑みてなされたものであり、フィルタ部の前段に増幅器を備え、増幅器が信号を増幅することができる周波数の範囲内において安定して信号を増幅することができる無線受信装置を提供することを目的とする。
【課題を解決するための手段】
【０００６】
上記目的を達成するために第１発明に係る無線受信装置は、アンテナで受信した信号を増幅する増幅器と、該増幅器に接続され、前記増幅器が前記信号を増幅することができる周波数の範囲内において、それぞれ異なる所定の周波数の範囲の前記信号を通過させることができる周波数帯域を有する、並列接続された複数のフィルタ部と、複数の前記フィルタ部のそれぞれに接続され、前記フィルタ部を通過した前記信号を同調させることが可能な複数のチューナ部とを備え、前記増幅器が前記信号を増幅することができる周波数の範囲内に含まれる二つの前記所定の周波数の範囲を第１周波数の範囲、第２周波数の範囲とした場合、複数の前記フィルタ部は、前記第１周波数の範囲の前記信号を通過させることができる第１周波数帯域を有する第１フィルタ部と、前記第２周波数の範囲の前記信号を通過させることができる第２周波数帯域を有する第２フィルタ部とを有し、前記第１フィルタ部の上限側の遮断周波数と、前記第２フィルタ部の下限側の遮断周波数とが一致、又は前記第１フィルタ部の上限側の遮断周波数が前記第２フィルタ部の前記第２周波数帯域に、及び前記第２フィルタ部の下限側の遮断周波数が前記第１フィルタ部の前記第１周波数帯域にそれぞれ含まれており、前記遮断周波数における複数の前記フィルタ部の合成インピーダンスが、前記増幅器の負荷インピーダンス以下になる。
【００１１】
第１発明では、第１フィルタ部の上限側の遮断周波数と、第２フィルタ部の下限側の遮断周波数とが一致、又は第１フィルタ部の上限側の遮断周波数が第２フィルタ部の第２周波数帯域に、及び第２フィルタ部の下限側の遮断周波数が第１フィルタ部の第１周波数帯域にそれぞれ含まれている第１フィルタ部及び第２フィルタ部の前段に増幅器を備えることで、第１フィルタ部及び第２フィルタ部から増幅器に正帰還する信号の量が所定量以下となるように第１フィルタ部及び第２フィルタ部の合成インピーダンスの値を抑えることができ、増幅器が信号を増幅することができる周波数の範囲内において安定して信号を増幅することができる。
また、遮断周波数における複数のフィルタ部の合成インピーダンスが、増幅器の負荷インピーダンス以下になる複数のフィルタ部の前段に増幅器を備えているので、フィルタ部から増幅器に正帰還する信号の量が所定量以下となり、増幅器が信号を増幅することができる周波数の範囲内において安定して信号を増幅することができる。
【００１２】
また、第２発明に係る無線受信装置は、第１発明において、前記第１周波数の範囲がＶＨＦ帯、前記第２周波数の範囲がＵＨＦ帯をそれぞれ含む。
【００１３】
第２発明では、第１周波数の範囲がＶＨＦ帯、第２周波数の範囲がＵＨＦ帯をそれぞれ含むので、ＶＨＦ帯及びＵＨＦ帯の信号を受信することが可能な無線受信装置を提供することができる。
【００１４】
また、第３発明に係る無線受信装置は、第１又は第２発明において、前記増幅器が前記信号を増幅することができる周波数の範囲内に含まれる三つの前記所定の周波数の範囲を第１周波数の範囲、第２周波数の範囲、第３周波数の範囲とした場合、複数の前記フィルタ部は、前記第１周波数の範囲の前記信号を通過させることができる第１周波数帯域を有する第１フィルタ部と、前記第２周波数の範囲の前記信号を通過させることができる第２周波数帯域を有する第２フィルタ部と、前記第３周波数の範囲の前記信号を通過させることができる第３周波数帯域を有する第３フィルタ部とを備え、前記第１フィルタ部の上限側の遮断周波数と、前記第２フィルタ部の下限側の遮断周波数とが、及び前記第２フィルタ部の上限側の遮断周波数と、前記第３フィルタ部の下限側の遮断周波数とがそれぞれ一致、又は前記第１フィルタ部の上限側の遮断周波数が前記第２フィルタ部の前記第２周波数帯域に、前記第２フィルタ部の下限側の遮断周波数が前記第１フィルタ部の前記第１周波数帯域に、前記第２フィルタ部の上限側の遮断周波数が前記第３フィルタ部の前記第３周波数帯域に、及び前記第３フィルタ部の下限側の遮断周波数が前記第２フィルタ部の前記第２周波数帯域にそれぞれ含まれている。
【００１５】
第３発明では、第１フィルタ部の上限側の遮断周波数と、第２フィルタ部の下限側の遮断周波数とが、及び第２フィルタ部の上限側の遮断周波数と、第３フィルタ部の下限側の遮断周波数とがそれぞれ一致、又は第１フィルタ部の上限側の遮断周波数が第２フィルタ部の第２周波数帯域に、第２フィルタ部の下限側の遮断周波数が第１フィルタ部の第１周波数帯域に、第２フィルタ部の上限側の遮断周波数が第３フィルタ部の第３周波数帯域に、及び第３フィルタ部の下限側の遮断周波数が第２フィルタ部の第２周波数帯域にそれぞれ含まれている第１フィルタ部、第２フィルタ部及び第３フィルタ部の前段に増幅器を備えることで、第１フィルタ部、第２フィルタ部及び第３フィルタ部から増幅器に正帰還する信号の量が所定量以下となるように第１フィルタ部、第２フィルタ部及び第３フィルタ部の合成インピーダンスの値を抑えることができ、増幅器が信号を増幅することができる周波数の範囲内において安定して信号を増幅することができる。
【００１６】
また、第４発明に係る無線受信装置は、第３発明において、前記第１周波数の範囲がＶＨＦ帯ローバンド、前記第２周波数の範囲がＶＨＦ帯ハイバンド、前記第３周波数の範囲がＵＨＦ帯をそれぞれ含む。
【００１７】
第４発明では、第１周波数の範囲がＶＨＦ帯ローバンド、第２周波数の範囲がＶＨＦ帯ハイバンド、第３周波数の範囲がＵＨＦ帯をそれぞれ含むので、ＶＨＦ帯ローバンド、ＶＨＦ帯ハイバンド及びＵＨＦ帯の信号を受信することが可能な無線受信装置を提供することができる。
【発明の効果】
【００１８】
本発明に係る無線受信装置は、第１フィルタ部の上限側の遮断周波数と、第２フィルタ部の下限側の遮断周波数とが一致、又は第１フィルタ部の上限側の遮断周波数が第２フィルタ部の第２周波数帯域に、及び第２フィルタ部の下限側の遮断周波数が第１フィルタ部の第１周波数帯域にそれぞれ含まれている第１フィルタ部及び第２フィルタ部の前段に増幅器を備えることで、第１フィルタ部及び第２フィルタ部から増幅器に正帰還する信号の量が所定量以下となるように第１フィルタ部及び第２フィルタ部の合成インピーダンスの値を抑えることができ、増幅器が信号を増幅することができる周波数の範囲内において安定して信号を増幅することができる。
また、遮断周波数における複数のフィルタ部の合成インピーダンスが、増幅器の負荷インピーダンス以下になる複数のフィルタ部の前段に増幅器を備えているので、フィルタ部から増幅器に正帰還する信号の量が所定量以下となり、増幅器が信号を増幅することができる周波数の範囲内において安定して信号を増幅することができる。
【図面の簡単な説明】
【００１９】
【図１】本発明の実施の形態１に係る無線受信装置の構成を示すブロック図である。
【図２】図１に示す無線受信装置のシミュレーションで得られたフィルタ部の信号の周波数と信号の強度との関係を示したグラフである。
【図３】図１に示す無線受信装置のシミュレーションで得られた信号の周波数とフィルタ部の合成インピーダンスとの関係を示したグラフである。
【図４】本発明の実施の形態１に係る別の構成の無線受信装置のシミュレーションで得られたフィルタ部の信号の周波数と信号の強度との関係を示したグラフである。
【図５】本発明の実施の形態１に係る別の構成の無線受信装置のシミュレーションで得られた信号の周波数とフィルタ部の合成インピーダンスとの関係を示したグラフである。
【図６】本発明の実施の形態２に係る無線受信装置の構成を示すブロック図である。
【図７】図６に示す無線受信装置のシミュレーションで得られたフィルタ部の信号の周波数と信号の強度との関係を示したグラフである。
【図８】図６に示す無線受信装置のシミュレーションで得られた信号の周波数とフィルタ部の合成インピーダンスとの関係を示したグラフである。
【発明を実施するための形態】
【００２０】
以下、本発明の実施の形態について、図面を参照しながら詳細に説明する。
【００２１】
（実施の形態１）
図１は、本発明の実施の形態１に係る無線受信装置の構成を示すブロック図である。図１に示す無線受信装置１は、ＶＨＦ帯及びＵＨＦ帯の信号を受信することができるアンテナ２が接続され、特にＶＨＦ帯ハイバンド（２０７．５ＭＨｚ〜２２２ＭＨｚ）のマルチメディア放送及びＵＨＦ帯（４７０ＭＨｚ〜７７０ＭＨｚ）のテレビ放送の信号を受信することができる。なお、本発明の実施の形態１では、ＶＨＦ帯ハイバンドを、単にＶＨＦ帯として説明する。
【００２２】
無線受信装置１は、アンテナ２で受信した信号を増幅する増幅器１１、増幅器１１に接続されたフィルタ部１２、１３、フィルタ部１２、１３のそれぞれに接続されたチューナ部１４、１５を備えている。フィルタ部１２、１３は並列接続されている。なお、無線受信装置１を携帯電話機に組み込む場合は、図示していないが、アンテナ２と増幅器１１との間に、携帯電話機の送信信号の周波数（例えば８００ＭＨｚ）を減衰させるトラップフィルタ部を挿入しても良い。
【００２３】
増幅器１１は、ＶＨＦ帯及びＵＨＦ帯を含む周波数の範囲の信号を増幅することができる。増幅器１１は、信号を増幅する際に、信号に付加される雑音が小さい低雑音増幅器（ＬＮＡ）である。さらに、増幅器１１は、外部から制御信号を供給することで、動作、不動作（スルー動作）を切り替えたり、信号の増幅度を変更（例えば１０ｄＢを２０ｄＢに変更）したりすることができる。
【００２４】
フィルタ部１２（第１フィルタ部）は、ＶＨＦ帯を含む所定の周波数の範囲（第１周波数の範囲）の信号を通過させることができる第１周波数帯域を有するローパスフィルタである。例えば、フィルタ部１２は、定Ｋ型フィルタを組み合わせたＴ型回路で、直列接続された二つのコイル（各２６．５ｎＨ）と、二つのコイルの接点と接地端子との間に設けられたコンデンサ（２１．２ｐＦ）とで構成されている。フィルタ部１３（第２フィルタ部）は、ＵＨＦ帯を含む所定の周波数の範囲（第２周波数の範囲）の信号を通過させることができる第２周波数帯域を有するハイパスフィルタである。例えば、フィルタ部１３は、定Ｋ型フィルタを組み合わせたＴ型回路で、直列接続された二つのコンデンサ（各１０．６ｐＦ）と、二つのコンデンサの接点と接地端子との間に設けられたコイル（１３．３ｎＨ）とで構成されている。なお、フィルタ部１２、１３は、定Ｋ型フィルタを組み合わせたＴ型回路に限定されるものではなく、所定の周波数の範囲の信号を通過させることができる周波数帯域を有する回路であれば、何れの回路構成であっても良い。
【００２５】
さらに、フィルタ部１２の第１周波数帯域と、フィルタ部１３の第２周波数帯域とは、それぞれ異なる所定の周波数の範囲の信号を通過させることができる。また、フィルタ部１２の上限側の遮断周波数（通過した信号の強度が半減する周波数）が、フィルタ部１３の第２周波数帯域に含まれている。逆に、フィルタ部１３の下限側の遮断周波数が、フィルタ部１２の第１周波数帯域に含まれている。
【００２６】
図２は、図１に示す無線受信装置１のシミュレーションで得られたフィルタ部１２、１３の信号の周波数と信号の強度との関係を示したグラフである。図３は、図１に示す無線受信装置１のシミュレーションで得られた信号の周波数とフィルタ部１２、１３の合成インピーダンスとの関係を示したグラフである。図２では、フィルタ部１２を通過した信号の周波数と信号の強度との関係を波形Ｌ、フィルタ部１３を通過した信号の周波数と信号の強度との関係を波形Ｈとしてそれぞれ示している。波形Ｌは、フィルタ部１２が略４０ＭＨｚ〜略３２０ＭＨｚ（フィルタ部１２の第１周波数帯域）の信号を通過させ、上限側の遮断周波数が略３２０ＭＨｚとなることを示している。波形Ｈは、フィルタ部１３が略２８０ＭＨｚ〜（フィルタ部１３の第２周波数帯域）の信号を通過させ、下限側の遮断周波数が略２８０ＭＨｚとなることを示している。なお、遮断周波数は、強度が５００ｍＶの信号がフィルタ部１２、１３を通過して信号の強度が半減（２５０ｍＶ）する周波数である。なお、無線受信装置１のシミュレーションには、回路シミュレーションでは一般的なＳＰＩＣＥ（Ｓｉｍｕｌａｒｉｏｎ  Ｐｒｏｇｒａｍ  ｗｉｔｈ  Ｉｎｔｅｇｒａｔｅｄ  Ｃｉｒｃｕｉｔ  Ｅｍｐｈａｓｉｓ）のＡＣ解析を用いている。
【００２７】
図２では、フィルタ部１２の第１周波数帯域（略４０ＭＨｚ〜略３２０ＭＨｚ）と、フィルタ部１３の第２周波数帯域（略２８０ＭＨｚ〜）とは、それぞれ異なる所定の周波数の範囲の信号を通過させることができる。また、フィルタ部１２の上限側の遮断周波数（略３２０ＭＨｚ）が、フィルタ部１３の第２周波数帯域に含まれている。逆に、フィルタ部１３の下限側の遮断周波数（略２８０ＭＨｚ）が、フィルタ部１２の第１周波数帯域に含まれている。
【００２８】
フィルタ部１２、１３の遮断周波数、周波数帯域を図２に示した遮断周波数、周波数帯域にすることで、信号の周波数とフィルタ部１２、１３の合成インピーダンスとの関係は図３に示すようになり、フィルタ部１２、１３の合成インピーダンスを、増幅器１１で信号を増幅することができる周波数の範囲（例えば、０Ｈｚ〜２．０ＧＨｚ）内において、増幅器１１の負荷インピーダンスである５０Ω以下にすることができる。合成インピーダンスが、増幅器１１の負荷インピーダンス以下になるフィルタ部１２、１３の前段に増幅器１１を備えているので、フィルタ部１２、１３から増幅器１１に正帰還する信号の量を所定量以下にすることができ、増幅器１１が信号を増幅することができる周波数の範囲内において安定して信号を増幅することができる。なお、フィルタ部１２、１３から増幅器１１に正帰還する信号の所定量は、無線受信装置１を実際に動作させた場合に増幅器１１の動作が不安定となるフィルタ部１２、１３の合成インピーダンスから類推される信号の量である。無線受信装置１の回路構成により、フィルタ部１２、１３から増幅器１１に正帰還する信号の所定量は異なる。
【００２９】
また、フィルタ部１２、１３の合成インピーダンスが、増幅器１１の負荷インピーダンスより大きくなると、フィルタ部１２、１３から増幅器１１に正帰還する信号の量が増えるが、所定量より大きくならなければ増幅器１１の動作が不安定になることも、増幅器１１が発振することもない。例えば、第１周波数帯域を有するフィルタ部１２と、第２周波数帯域を有するフィルタ部１３とは、それぞれ異なる所定の周波数の範囲の信号を通過させることができる。また、フィルタ部１２、１３の遮断周波数同士が一致する場合であっても、フィルタ部１２、１３から増幅器１１に正帰還する信号の量が所定量以下となるようにフィルタ部１２、１３の合成インピーダンスの値を抑えることができ、増幅器１１が信号を増幅することができる周波数の範囲内において安定して信号を増幅することができる。
【００３０】
図４は、本発明の実施の形態１に係る別の構成の無線受信装置１のシミュレーションで得られたフィルタ部１２、１３の信号の周波数と信号の強度との関係を示したグラフである。図５は、本発明の実施の形態１に係る別の構成の無線受信装置１のシミュレーションで得られた信号の周波数とフィルタ部１２、１３の合成インピーダンスとの関係を示したグラフである。なお、別の構成の無線受信装置１は、フィルタ部１２が、直列接続された二つのコイル（各３４．０ｎＨ）と、二つのコイルの接点と接地端子との間に設けられたコンデンサ（３０．０ｐＦ）とで構成され、フィルタ部１３が、直列接続された二つのコンデンサ（各８．０ｐＦ）と、二つのコンデンサの接点と接地端子との間に設けられたコイル（１０．０ｎＨ）とで構成されている点以外、図１に示す無線受信装置１と同じである。
【００３１】
図４に示す波形Ｌは、フィルタ部１２が略４０ＭＨｚ〜略３００ＭＨｚ（フィルタ部１２の第１周波数帯域）の信号を通過させ、上限側の遮断周波数が略３００ＭＨｚとなることを示している。波形Ｈは、フィルタ部１３が略３００ＭＨｚ〜（フィルタ部１３の第２周波数帯域）の信号を通過させ、下限側の遮断周波数が略３００ＭＨｚとなることを示している。
【００３２】
図４に示すように、フィルタ部１２の第１周波数帯域（略４０ＭＨｚ〜略３００ＭＨｚ）と、フィルタ部１３の第２周波数帯域（略３００ＭＨｚ〜）とは異なる周波数帯域で、フィルタ部１２、１３の遮断周波数（略３００ＭＨｚ）同士が一致している。
【００３３】
フィルタ部１２、１３の遮断周波数、周波数帯域を図４に示した遮断周波数、周波数帯域にすることで、信号の周波数とフィルタ部１２、１３の合成インピーダンスとの関係は図５に示すようになり、フィルタ部１２、１３の合成インピーダンスを、略２５０ＭＨｚ〜略３６０ＭＨｚの周波数帯域を除く増幅器１１で信号を増幅することができる周波数の範囲内において、増幅器１１の負荷インピーダンスである５０Ω以下にすることができる。また、略２５０ＭＨｚ〜略３６０ＭＨｚの周波数帯域においては、増幅器１１の負荷インピーダンスである５０Ωより大きくなり、特に、略３００ＭＨｚの周波数では、フィルタ部１２、１３の合成インピーダンスが略２７０Ωと最大値となる。しかし、過去の経験において、フィルタ部１２、１３の合成インピーダンスが十倍程度であっても、増幅器１１が発振することなく正常に動作していたことから、フィルタ部１２、１３から増幅器１１に正帰還する信号の量を所定量以下にすることができるフィルタ部１２、１３の合成インピーダンスの値であると推測できる。そのため、フィルタ部１２、１３の遮断周波数（略３００ＭＨｚ）同士を一致させた場合であっても、増幅器１１が信号を増幅することができる周波数の範囲内において安定して信号を増幅することができる。
【００３４】
次に、チューナ部１４は、フィルタ部１２を通過したＶＨＦ帯の信号を同調させることが可能な回路である。チューナ部１４で同調させたマルチメディア放送の信号に対して所定の処理を行うことで、図示していない表示装置でマルチメディア放送を視聴することができる。チューナ部１５は、フィルタ部１３を通過したＵＨＦ帯の信号を同調させることが可能な回路である。チューナ部１５で同調させたテレビ放送の信号に対して所定の処理を行うことで、図示していない表示装置でテレビ放送を視聴することができる。
【００３５】
以上のように、本発明の実施の形態１に係る無線受信装置１は、複数のフィルタ部１２、１３の遮断周波数同士が一致、又は一つのフィルタ部１２（１３）の遮断周波数が近傍する他のフィルタ部１３（１２）の第２（第１）周波数帯域に含まれている複数のフィルタ部１２、１３の前段に増幅器１１を備えているので、フィルタ部１２、１３から増幅器１１に正帰還する信号の量が所定量以下となるようにフィルタ部１２、１３の合成インピーダンスの値を抑えることができ、増幅器１１が信号を増幅することができる周波数の範囲内において安定して信号を増幅することができる。また、増幅器１１が発振することを防止することができる。
【００３６】
なお、本発明の実施の形態１に係る無線受信装置１は、増幅器１１が信号を増幅することができる周波数の範囲は、ＶＨＦ帯を含む所定の周波数の範囲（第１周波数の範囲）と、ＵＨＦ帯を含む所定の周波数の範囲（第２周波数の範囲）との二つの所定の周波数の範囲を含む場合に限定されるものではなく、ＶＨＦ帯、ＵＨＦ帯を含まない二つの所定の周波数の範囲を含む場合であっても良い。
【００３７】
（実施の形態２）
図６は、本発明の実施の形態２に係る無線受信装置の構成を示すブロック図である。図６に示す無線受信装置３は、ＶＨＦ帯ローバンド、ＶＨＦ帯ハイバンド及びＵＨＦ帯の信号を受信することができるアンテナ２が接続され、特に、ＶＨＦ帯ローバンド（９０ＭＨｚ〜１０８ＭＨｚ）のマルチメディア放送、ＶＨＦ帯ハイバンド（２０７．５ＭＨｚ〜２２２ＭＨｚ）のマルチメディア放送及びＵＨＦ帯（４７０ＭＨｚ〜７７０ＭＨｚ）のテレビ放送の信号を受信することができる。そのため、本発明の実施の形態２に係る無線受信装置３は、実施の形態１に係る無線受信装置１に、ＶＨＦ帯ローバンドの信号を受信するための構成が追加されている。
【００３８】
無線受信装置３は、アンテナ２で受信した信号を増幅する増幅器３１、増幅器３１に接続されたフィルタ部３２、３３、３４、フィルタ部３２、３３、３４のそれぞれに接続されたチューナ部３５、３６、３７を備えている。フィルタ部３２、３３、３４は並列接続されている。なお、無線受信装置３を携帯電話機に組み込む場合は、図示していないが、アンテナ２と増幅器３１との間に、携帯電話機の送信信号の周波数（例えば８００ＭＨｚ）を減衰させるトラップフィルタ部を挿入しても良い。
【００３９】
増幅器３１は、ＶＨＦ帯ローバンド、ＶＨＦ帯ハイバンド及びＵＨＦ帯を含む周波数の範囲の信号を増幅することができる。増幅器３１は、信号を増幅する際に、信号に付加される雑音が小さい低雑音増幅器（ＬＮＡ）である。さらに、増幅器３１は、外部から制御信号を供給することで、動作、不動作（スルー動作）の切替、信号の増幅度の変更（例えば１０ｄＢを２０ｄＢに変更）をすることができる。
【００４０】
フィルタ部３２（第１フィルタ部）は、ＶＨＦ帯ローバンドを含む所定の周波数の範囲（第１周波数の範囲）の信号を通過させることができる第１周波数帯域を有するローパスフィルタである。例えば、フィルタ部３２は、定Ｋ型フィルタを組み合わせたＴ型回路で、直列接続された二つのコイル（各５３ｎＨ）と、二つのコイルの接点と接地端子との間に設けられたコンデンサ（４２．４ｐＦ）とで構成されている。フィルタ部３３（第２フィルタ部）は、ＶＨＦ帯ハイバンドを含む所定の周波数の範囲（第２周波数の範囲）の信号を通過させることができる第２周波数帯域を有するバンドパスフィルタである。例えば、フィルタ部３３は、定Ｋ型フィルタを組み合わせたπ型回路で、直列接続された二つのコイル（各３９．８ｎＨ）及び二つのコンデンサ（各１５１．６ｐＦ）と、二つのコンデンサの接点と接地端子との間に設けられたコイル（１５．２ｎＨ）及びコンデンサ（６３．６ｐＦ）とで構成されている。フィルタ部３４（第３フィルタ部）は、ＵＨＦ帯を含む所定の周波数の範囲（第３周波数の範囲）の信号を通過させることができる第３周波数帯域を有するハイパスフィルタである。例えば、フィルタ部３４は、定Ｋ型フィルタを組み合わせたＴ型回路で、直列接続された二つのコンデンサ（各１２．７ｐＦ）と、二つのコンデンサの接点と接地端子との間に設けられたコイル（１５．９ｎＨ）とで構成されている。なお、フィルタ部３２、３４は、定Ｋ型フィルタを組み合わせたＴ型回路に限定されるものではなく、所定の周波数の範囲の信号を通過させることができる回路であれば、何れの回路構成であっても良い。フィルタ部３３は、定Ｋ型フィルタを組み合わせたπ型回路に限定されるものではなく、所定の周波数の範囲の信号を通過させることができる回路であれば、何れの回路構成であっても良い。
【００４１】
さらに、第１周波数帯域を有するフィルタ部３２と、第２周波数帯域を有するフィルタ部３３、第３周波数帯域を有するフィルタ部３４とは、それぞれ異なる所定の周波数の範囲の信号を通過させることができる。また、フィルタ部３２の上限側の遮断周波数（通過した信号の強度が半減する周波数）が、フィルタ部３３の第２周波数帯域に含まれている。逆に、フィルタ部３３の下限側の遮断周波数が、フィルタ部３２の第１周波数帯域に含まれている。さらに、フィルタ部３３の上限側の遮断周波数が、フィルタ部３４の第３周波数帯域に含まれている。逆に、フィルタ部３４の下限側の遮断周波数が、フィルタ部３３の第２周波数帯域に含まれている。
【００４２】
図７は、図６に示す無線受信装置３のシミュレーションで得られたフィルタ部３２〜３４の信号の周波数と信号の強度との関係を示したグラフである。図８は、図６に示す無線受信装置３のシミュレーションで得られた信号の周波数とフィルタ部３２〜３４の合成インピーダンスとの関係を示したグラフである。図７では、フィルタ部３２を通過した信号の周波数と信号の強度との関係を波形Ｌ、フィルタ部３３を通過した信号の周波数と信号の強度との関係を波形Ｂ、フィルタ部３４を通過した信号の周波数と信号の強度との関係を波形Ｈとしてそれぞれ示している。
【００４３】
波形Ｌは、フィルタ部３２が略７５ＭＨｚ〜略１７５ＭＨｚ（フィルタ部３２の第１周波数帯域）の信号を通過させ、上限側の遮断周波数が略１７５ＭＨｚとなることを示している。波形Ｂは、フィルタ部３３が略１６５ＭＨｚ〜略２３５ＭＨｚ（フィルタ部３３の第２周波数帯域）の信号を通過させ、下限側の遮断周波数が略１６５ＭＨｚ、上限側の遮断周波数が略２３５ＭＨｚとなることを示している。波形Ｈは、フィルタ部３４が略２２５ＭＨｚ〜（フィルタ部３４の第３周波数帯域）の信号を通過させ、下限側の遮断周波数が略２２５ＭＨｚとなることを示している。なお、遮断周波数は、強度が５００ｍＶの信号がフィルタ部３２〜３４を通過して信号の強度が半減（２５０ｍＶ）する周波数である。
【００４４】
図７に示すように、フィルタ部３２の第１周波数帯域（略７５ＭＨｚ〜略１７５ＭＨｚ）と、フィルタ部３３の第２周波数帯域（略１６０ＭＨｚ〜略２３５ＭＨｚ）と、フィルタ部３４の第３周波数帯域（略２２５ＭＨｚ〜）とは、それぞれ異なり、異なる周波数帯域を有するフィルタ部３２〜３４は、それぞれ異なる所定の周波数の範囲の信号を通過させることができる。また、フィルタ部３２の上限側の遮断周波数（略１７５ＭＨｚ）が、フィルタ部３３の第２周波数帯域に含まれている。逆に、フィルタ部３３の下限側の遮断周波数（略１６５ＭＨｚ）が、フィルタ部３２の第１周波数帯域に含まれている。さらに、フィルタ部３３の上限側の遮断周波数（略２３５ＭＨｚ）が、フィルタ部３４の第３周波数帯域に含まれている。逆に、フィルタ部３４の下限側の遮断周波数（略２２５ＭＨｚ）が、フィルタ部３３の第２周波数帯域に含まれている。
【００４５】
フィルタ部３２〜３４の遮断周波数、周波数帯域を図７に示した遮断周波数、周波数帯域にすることで、信号の周波数とフィルタ部３２〜３４の合成インピーダンスとの関係は図８に示すようになり、フィルタ部３２〜３４の合成インピーダンスを、増幅器３１で信号を増幅することができる周波数の範囲（例えば、０Ｈｚ〜２．０ＧＨｚ）内において、増幅器３１の負荷インピーダンスである５０Ω以下にすることができる。合成インピーダンスが、増幅器３１の負荷インピーダンス以下になるフィルタ部３２〜３４の前段に増幅器３１を備えることで、フィルタ部３２〜３４から増幅器３１に正帰還する信号の量を所定量以下にすることができ、増幅器３１が信号を増幅することができる周波数の範囲内において安定して信号を増幅することができる。なお、フィルタ部３２〜３４から増幅器３１に正帰還する信号の所定量は、無線受信装置３を実際に動作させた場合に増幅器３１の動作が不安定となるフィルタ部３２〜３４の合成インピーダンスから類推される信号の量である。無線受信装置３の回路構成により、フィルタ部３２〜３４から増幅器３１に正帰還する信号の所定量は異なる。
【００４６】
また、フィルタ部３２〜３４の合成インピーダンスが、増幅器３１の負荷インピーダンスより大きくなると、フィルタ部３２〜３４から増幅器３１に正帰還する信号の量が増えるが、所定量より大きくならなければ増幅器３１の動作が不安定になることも、増幅器３１が発振することもない。例えば、第１周波数帯域を有するフィルタ部３２と、第２周波数帯域を有するフィルタ部３３と、第３周波数帯域を有するフィルタ部３４とは、それぞれ異なる所定の周波数の範囲の信号を通過させることができる。また、フィルタ部３２〜３４の遮断周波数同士が一致する場合であっても、フィルタ部３２〜３４から増幅器３１に正帰還する信号の量が所定量以下となるようにフィルタ部３２〜３４の合成インピーダンスの値を抑えることができ、増幅器３１が信号を増幅することができる周波数の範囲内において安定して信号を増幅することができる。
【００４７】
なお、複数のフィルタ部３２〜３４の遮断周波数同士が一致する場合とは、具体的に、フィルタ部３２の上限側の遮断周波数（略１７５ＭＨｚ）が、フィルタ部３３の下限側の遮断周波数（略１６５ＭＨｚ）と一致、フィルタ部３３の上限側の遮断周波数（略２３５ＭＨｚ）が、フィルタ部３４の下限側の遮断周波数（略２２５ＭＨｚ）と一致している場合である。
【００４８】
次に、チューナ部３５は、フィルタ部３２を通過したＶＨＦ帯ローバンドの信号を同調させることが可能な回路である。チューナ部３５で同調させたマルチメディア放送の信号に対して所定の処理を行うことで、図示していない表示装置でマルチメディア放送を視聴することができる。チューナ部３６は、フィルタ部３３を通過したＶＨＦ帯ハイバンドの信号を同調させることが可能な回路である。チューナ部３６で同調させたマルチメディア放送の信号に対して所定の処理を行うことで、図示していない表示装置でマルチメディア放送を視聴することができる。チューナ部３７は、フィルタ部３４を通過したＵＨＦ帯の信号を同調させることが可能な回路である。チューナ部３７で同調させたテレビ放送の信号に対して所定の処理を行うことで、図示していない表示装置でテレビ放送を視聴することができる。
【００４９】
以上のように、本発明の実施の形態１に係る無線受信装置３は、フィルタ部３２の上限側の遮断周波数がフィルタ部３３の第２周波数帯域に、フィルタ部３３の下限側の遮断周波数がフィルタ部３２の第１周波数帯域に、フィルタ部３３の上限側の遮断周波数がフィルタ部３４の第３周波数帯域に、及びフィルタ部３４の下限側の遮断周波数がフィルタ部３３の第２周波数帯域にそれぞれ含まれている複数のフィルタ部３２〜３４の前段に増幅器３１を備えるので、フィルタ部３２〜３４から増幅器３１に正帰還する信号の量が所定量以下となるようにフィルタ部３２〜３４の合成インピーダンスの値を抑えることができ、増幅器３１が信号を増幅することができる周波数の範囲内において安定して信号を増幅することができる。また、増幅器３１が発振することを防止することができる。
【００５０】
なお、本発明の実施の形態２に係る無線受信装置３は、増幅器３１が信号を増幅することができる周波数の範囲を、ＶＨＦ帯ローバンドを含む所定の周波数の範囲（第１周波数の範囲）と、ＶＨＦ帯ハイバンドを含む所定の周波数の範囲（第２周波数の範囲）と、ＵＨＦ帯を含む所定の周波数の範囲（第３周波数の範囲）との三つの所定の周波数の範囲を含む場合に限定されるものではなく、ＶＨＦ帯ローバンド、ＶＨＦ帯ハイバンド、ＵＨＦ帯を含まない三つの所定の周波数の範囲を含む場合であっても、四つ以上の所定の周波数の範囲を含む場合であっても良い。
【符号の説明】
【００５１】
１、３  無線受信装置
２  アンテナ
１１、３１  増幅器
１２、１３、３２〜３４  フィルタ部
１４、１５、３５〜３７  チューナ部
【図１】
0005549496.tif 000002
【図２】
0005549496.tif 000003
【図３】
0005549496.tif 000004
【図４】
0005549496.tif 000005
【図５】
0005549496.tif 000006
【図６】
0005549496.tif 000007
【図７】
0005549496.tif 000008
【図８】
0005549496.tif 000009